(57)【要約】      （修正有）【課題】オーディオ情報の再生スタート時点を選択できるようにするためのマーカー指定に関し、誤って挿入されたマーカーの位置をユーザの意図する位置と一致するように修正する。【解決手段】マーカー設定方法は、複数の無声領域および有声領域を含むオーディオ情報を受信するステップと、選択されたマーカー挿入時点に対する選択を受信するステップと、受信された選択および受信されたオーディオ情報に基づいて、選択されたマーカー挿入時点が有声領域に存在するかを判断するステップと、選択されたマーカー挿入時点が前記有声領域上に存在すると、受信されたオーディオ信号内の複数の無声領域の中で無声領域の時刻を決定し、決定された無声領域の時刻に対応するようにマーカーを設定するステップとを含む。【選択図】図７
2012032817.tif 000002
【特許請求の範囲】
【請求項１】
複数の無声（ｓｉｌｅｎｔ）領域および有声（ｎｏｎ−ｓｉｌｅｎｔ）領域を含むオーディオ情報にマーカー（ｍａｒｋｅｒ）を設定する方法において、
前記複数の無声領域および有声領域を含むオーディオ情報を受信するステップと、
選択されたマーカー挿入時点に対する選択を受信するステップと、
前記受信された選択および受信されたオーディオ情報に基づいて、前記選択されたマーカー挿入時点が有声領域に存在するかを判断するステップと、
前記選択されたマーカー挿入時点が前記有声領域上に存在すると、前記受信されたオーディオ信号内の複数の無声領域の中で無声領域の時刻を決定し、前記決定された無声領域の時刻に対応するようにマーカーを設定するステップとを含むマーカー設定方法。
【請求項２】
前記選択されたマーカー挿入時点を前記設定されたマーカーに対応するように変換するステップを更に含むことを特徴とする請求項１に記載のマーカー設定方法。
【請求項３】
前記無声領域の時刻は、
前記選択されたマーカー挿入時点の前に存在することを特徴とする請求項１に記載のマーカー設定方法。
【請求項４】
前記無声領域の時刻は、
前記複数の無声領域の中で前記選択されたマーカー挿入時点に近い時刻であることを特徴とする請求項１に記載のマーカー設定方法。
【請求項５】
前記オーディオ情報は、デジタルフォーマットであることを特徴とする請求項１に記載のマーカー設定方法。
【請求項６】
前記選択された挿入時点に対する選択は、
ユーザによって行なわれることを特徴とする請求項１に記載のマーカー設定方法。
【請求項７】
前記オーディオ情報の有声領域は、
少なくとも一つのスポークン・ワード（ｓｐｏｋｅｎ  ｗｏｒｄ）を含むことを特徴とする請求項１に記載のマーカー設定方法。
【請求項８】
前記無声領域の時刻を決定する動作は、
前記オーディオ情報の有声領域の分析に基づくものであることを特徴とする請求項１に記載のマーカー設定方法。
【請求項９】
前記オーディオ情報の有声領域は、少なくとも一つのスポークン・ワード（ｓｐｏｋｅｎ  ｗｏｒｄ）を含み、
前記有声領域の分析は、前記少なくとも一つのスポークン・ワードの認識（ｒｅｃｏｇｎｉｔｉｏｎ）に基づくものであることを特徴とする請求項８に記載のマーカー設定方法。
【請求項１０】
前記少なくとも一つのスポークン・ワードの認識は、
前記オーディオ情報の有声領域と単語データベース（ｗｏｒｄ  ｄａｔａｂａｓｅ）内の少なくとも一つの単語を比較して行なわれることを特徴とする請求項９に記載のマーカー設定方法。
【請求項１１】
前記複数の無声領域の無声領域それぞれは、最小期間より長いことを特徴とする請求項１に記載のマーカー設定方法。
【請求項１２】
前記無声領域の時刻を決定する動作は、ユーザによって行なわれることを特徴とする請求項１に記載のマーカー設定方法。
【請求項１３】
前記有声領域および前記無声領域のグラフィック表現を表示する表示スクリーンを表示するステップを更に含み、
前記ユーザは、
前記表示されたグラフィック表現上の前記無声領域の時刻を手動で選択することにより、前記無声領域の時刻を決定することを特徴とする請求項１２に記載のマーカー設定方法。
【請求項１４】
前記表示スクリーン上に前記選択されたマーカー挿入時点に対応するマーカーを表示するステップを更に含み、
前記表示されたグラフィック表現上の無声領域の時刻の手動決定は、前記表示されたグラフィック表現内の表示されたマーカーを動かすことを含むことを特徴とする請求項１３に記載のマーカー設定方法。
【請求項１５】
前記オーディオ情報は、
複数のスポークン・ワード（ｓｐｏｋｅｎ  ｗｏｒｄ）および複数のスポークン・ワードにおける少なくとも二単語の間の一時停止（ｐａｕｓｅ）に対応する無声領域を含むことを特徴とする請求項１に記載のマーカー設定方法。
【請求項１６】
複数の無声（ｓｉｌｅｎｔ）領域および有声（ｎｏｎ−ｓｉｌｅｎｔ）領域を含むオーディオ情報にマーカー（ｍａｒｋｅｒ）を設定する装置において、
前記複数の無声領域および有声領域を含むオーディオ情報を受信する受信部と、
選択されたマーカー挿入時点に対する選択を受信する入力部と、
前記受信された選択および受信されたオーディオ情報に基づいて、前記選択されたマーカー挿入時点が有声領域に存在するかを判断し、前記選択されたマーカー挿入時点が前記有声領域に存在すると、前記受信されたオーディオ信号内の前記複数の無声領域の中で無声領域の時刻を決定し、前記決定された無声領域の時刻に対応するようにマーカーを設定する制御部とを含むマーカー設定装置。
【請求項１７】
前記制御部は、
前記選択されたマーカー挿入時点を前記設定されたマーカーに対応するように変換することを特徴とする請求項１６に記載のマーカー設定装置。
【請求項１８】
前記無声領域の時刻は、
前記選択されたマーカー挿入時点の前に存在することを特徴とする請求項１６に記載のマーカー設定装置。
【請求項１９】
前記無声領域の時刻は、
前記複数の無声領域の中で前記選択されたマーカー挿入時点に近い時刻であることを特徴とする請求項１６に記載のマーカー設定装置。
【請求項２０】
前記オーディオ情報は、デジタルフォーマットであることを特徴とする請求項１６に記載のマーカー設定装置。
【請求項２１】
前記入力部は、
前記選択された挿入時点に対する選択を、ユーザから受信することを特徴とする請求項１６に記載のマーカー設定装置。
【請求項２２】
前記オーディオ情報の有声領域は、
少なくとも一つのスポークン・ワード（ｓｐｏｋｅｎ  ｗｏｒｄ）を含むことを特徴とする請求項１６に記載のマーカー設定装置。
【請求項２３】
前記制御部は、
前記オーディオ情報の有声領域の分析に基づいて前記無声領域の時刻を決定することを特徴とする請求項１６に記載のマーカー設定装置。
【請求項２４】
前記オーディオ情報の有声領域は、少なくとも一つのスポークン・ワード（ｓｐｏｋｅｎ  ｗｏｒｄ）を含み、
前記有声領域の分析は、前記少なくとも一つのスポークン・ワードの認識（ｒｅｃｏｇｎｉｔｉｏｎ）に基づくことを特徴とする請求項２３に記載のマーカー設定装置。
【請求項２５】
前記少なくとも一つのスポークン・ワードの認識は、
前記オーディオ情報の有声領域と単語データベース内の少なくとも一つの単語を比較して行なわれることを特徴とする請求項２４に記載のマーカー設定装置。
【請求項２６】
前記複数の無声領域の無声領域それぞれは、最小期間より長いことを特徴とする請求項１６に記載のマーカー設定装置。
【請求項２７】
前記制御部は、
ユーザの入力に基づいて前記無声領域の時刻を決定する動作を行なうことを特徴とする請求項１６に記載のマーカー設定装置。
【請求項２８】
前記有声領域および前記無声領域のグラフィック表現を表示する表示スクリーンを表示する表示部を更に含み、
前記制御部は、前記表示されたグラフィック表現上の前記無声領域の時刻を手動で選択することにより、前記無声領域の時刻を決定することを特徴とする請求項２７に記載のマーカー設定装置。
【請求項２９】
前記表示部は、
前記表示スクリーン上に前記選択されたマーカー挿入時点に対応するマーカーを表示し、
前記表示されたグラフィック表現上の無声領域の時刻の手動選択は、前記表示されたグラフィック表現内の表示されたマーカーを動かすことを含むことを特徴とする請求項２８に記載のマーカー設定装置。
【請求項３０】
前記オーディオ情報は、
複数のスポークン・ワードおよび複数のスポークン・ワードにおける少なくとも二単語の間の一時停止に対応する無声領域を含むことを特徴とする請求項１６に記載のマーカー設定装置。
【請求項３１】
言語的（ｖｅｒｂａｌ）および非言語的（ｎｏｎ−ｖｅｒｂａｌ）コンテンツ（ｃｏｎｔｅｎｔ）のうち少なくとも一つを含む有声領域と無声領域を持つオーディオ情報にマーカーを設定する方法において、
前記無声領域および前記有声領域を持つオーディオ情報を受信するステップ、
前記有声領域に存在する第１時刻に対応するマーカー設定をユーザから選択されるステップと、
前記有声領域の期間、前記有声領域に対する開始時刻、前記有声領域に対する終了時刻、前記無声領域に対する開始時刻、前記無声領域に対する終了時刻および「前記言語的および非言語的コンテンツのうち少なくとも一つ」のうち少なくとも一つを決定するために前記オーディオ情報を分析するステップと、
有声領域の分析に基づいて前記無声領域に存在する第２時刻を決定するステップと、
前記決定された第２時刻に基づいてマーカーを設定するステップとを含むマーカー設定方法。
【発明の詳細な説明】
【技術分野】
【０００１】
本発明は、マーカー設定方法およびマーカー設定装置に関し、より具体的には、ユーザの意図によりオーディオ情報の一領域を再生できるマーカー設定方法およびマーカー設定装置に関する。
【背景技術】
【０００２】
最近の現代方法および装置は、オーディオ情報を再生することができる。ここで、「オーディオ情報（ａｕｄｉｏ  ｉｎｆｏｒｍａｔｉｏｎ）」という用語は、言語的（ｖｅｒｂａｌ）および非言語的（ｎｏｎ−ｖｅｒｂａｌ）情報を含む。言語的情報は、単語（ｗｏｒｄ）、句（ｐｈｒａｓｅ）、文章（ｓｅｎｔａｎｃｅ）、段落（ｐａｒａｇｒａｐｈ）などの一つ以上と、「口から出した音」（例えば、音節（ｓｙｌｌａｂｌｅｓ）または単語のかけら（ｆｒａｇｍｅｎｔ）など）を含む。このような言語的オーディオ情報は、音声化されたり音楽のように表現されてよい（例えば、スポークン・ワード（ｓｐｏｋｅｎ  ｗｏｒｄｓ）もしくは音楽的伴奏有りでまたは音楽的伴奏無しで行なわれた口から出した音）。非言語的（ｎｏｎ−ｖｅｒｂａｌ）情報とは、音楽（例えば、無言（ｗｉｔｈｏｕｔ  ｗｏｒｄ））、コード化されたオーディオ信号（例えば、モールスコード）、言語的な意味のない音（ｔｏｎｅ）（例えば、ハミング）などを含む。このような装置および方法はユーザがオーディオ情報の再生に対する再生スタート時点（例えば、ユーザが再生動作の開始を望む時間内の時点）を選択できるようにすることができる。
【０００３】
ところが、従来の方法および装置で、ユーザは自らの意図とは関係なく、所望する時間内の時点と別の時点を選択するようになる。例えば、ユーザはオーディオブック（ａｕｄｉｏ  ｂｏｏｋ）、歌（ｓｏｎｇ）などの一領域を挙げることができる。そして、ユーザはマーカーが文章（ｓｅｎｔａｎｃｅ）、スタンザ（ｓｔａｎｚａ）などの終わりと一致するように設定されることを望む。所望の領域を聞くために、ユーザは再生スタート時点を設定すべく、マーカー挿入をスタートするボタンを押したり、マウスをクリックすることができる。ところが、ユーザが遅れてボタンを押したり、遅れてマウスをクリックすることもあり、それにより、次の領域が既に始まってからの時間の時点にマーカーが挿入されることもあり得る。従って、誤って挿入されたマーカーの位置をユーザの意図する位置と一致するように修正する方法が必要となる。
【０００４】
図１は、第１無声領域１１０（ｓｉｌｅｎｔ  ｐｏｒｔｉｏｎ）および有声領域１２０（ｎｏｎ−ｓｉｌｅｎｔ  ｐｏｒｔｉｏｎ）および第２無声領域１３０を含むアナログ音声信号１００で形成されたオーディオ情報の例を示す。
【０００５】
図１によると、第１変換（ｔｒａｎｓｉｔｉｏｎ）領域１１９は、第１無声領域１１０および有声領域１２０との間に存在する。第２変換領域１２９は、有声領域１２０と第２無声領域１３０との間に存在する。ユーザは有声領域１２０の開始前の再生スタート時点（例えば、時点１１１）にマーカーを挿入することを決めてよい。上述のように、ユーザの所望する時間にボタンを押したり、マウスをクリックするなどの動作を行なうことができる。しかし、ユーザは所望する時間にマーカーを挿入するのに十分でない速さ（例えば、第１無声領域１１０の終わりの前に）でボタンを押してしまうことがある。更に、ユーザが遅れて行動したため、有声領域１２０の間の時間にボタンを押すことがある。その結果、マーカーは時点１２１に挿入される可能性がある。このような点で、ユーザの故意でないミスを修正するための方法が求められている。
【先行技術文献】
【特許文献】
【０００６】
【特許文献１】韓国特許登録第１０−０３５７２４１号広報
【特許文献２】韓国特許登録第２００４−０２４６３４号広報
【特許文献３】韓国特許登録第２００２−０３４７７７号広報
【発明の概要】
【発明が解決しようとする課題】
【０００７】
そこで、本発明は、上述の問題およびその他の上述していない問題を克服するためのものである。しかし、本発明が上述した問題を全て克服することが不要であり、本発明の一実施形態は上述の問題中の一部を克服しないこともある。
【課題を解決するための手段】
【０００８】
本発明の一実施形態に係るマーカー設定方法は、前記複数の無声領域および有声領域を含むオーディオ情報を受信するステップと、選択されたマーカー挿入時点に対する選択を受信するステップと、前記受信された選択および受信されたオーディオ情報に基づいて、前記選択されたマーカー挿入時点が有声領域に存在するかを判断するステップと、前記選択されたマーカー挿入時点が前記有声領域上に存在すると、前記受信されたオーディオ信号内の複数の無声領域の中で無声領域の時刻を決定し、前記決定された無声領域の時刻に対応するようにマーカーを設定するステップとを含む。
【０００９】
この場合、本マーカー設定方法は、前記選択されたマーカー挿入時点を前記設定されたマーカーに対応するように変換するステップを更に含んでよい。
【００１０】
一方、前記無声領域の時刻は、前記選択されたマーカー挿入時点の前に存在することが望ましい。
【００１１】
一方、前記無声領域の時刻は、前記複数の無声領域の中で前記選択されたマーカー挿入時点に近い時刻であることが望ましい。
【００１２】
一方、前記オーディオ情報は、デジタルフォーマットであることが望ましい。
【００１３】
一方、前記選択された挿入時点に対する選択は、ユーザによって行なわれることが望ましい。
【００１４】
一方、前記オーディオ情報の有声領域は、少なくとも一つのスポークン・ワード（ｓｐｏｋｅｎ  ｗｏｒｄ）を含むことが望ましい。
【００１５】
一方、前記無声領域の時刻を決定する動作は、前記オーディオ情報の有声領域の分析に基づくものであることが望ましい。
【００１６】
この場合、前記オーディオ情報の有声領域は、少なくとも一つのスポークン・ワード（ｓｐｏｋｅｎ  ｗｏｒｄ）を含み、前記有声領域の分析は、前記少なくとも一つのスポークン・ワードの認識（ｒｅｃｏｇｎｉｔｉｏｎ）に基づくものであることが望ましい。
【００１７】
この場合、前記少なくとも一つのスポークン・ワードの認識は、前記オーディオ情報の有声領域と単語データベース（ｗｏｒｄ  ｄａｔａｂａｓｅ）内の少なくとも一つの単語を比較して行なわれることが望ましい。
【００１８】
一方、前記複数の無声領域の無声領域それぞれは、最小期間より長いことが望ましい。
【００１９】
一方、前記無声領域の時刻を決定する動作は、ユーザによって行なわれることが望ましい。
【００２０】
この場合、本マーカー設定方法は、前記有声領域および前記無声領域のグラフィック表現を表示する表示スクリーンを表示するステップを更に含み、前記ユーザは、前記表示されたグラフィック表現上の前記無声領域の時刻を手動で選択することにより、前記無声領域の時刻を決定することが望ましい。
【００２１】
この場合、本マーカー設定方法は、前記表示スクリーン上に前記選択されたマーカー挿入時点に対応するマーカーを表示するステップを更に含み、前記表示されたグラフィック表現上の無声領域の時刻の手動決定は、前記表示されたグラフィック表現内の表示されたマーカーを動かすことを含むことが望ましい。
【００２２】
一方、前記オーディオ情報は、複数のスポークン・ワード（ｓｐｏｋｅｎ  ｗｏｒｄ）および複数のスポークン・ワードにおける少なくとも二単語の間の一時停止（ｐａｕｓｅ）に対応する無声領域を含むことが望ましい。
【００２３】
一方、本実施形態に係るマーカー設定装置は、前記複数の無声領域および有声領域を含むオーディオ情報を受信する受信部と、選択されたマーカー挿入時点に対する選択を受信する入力部と、前記受信された選択および受信されたオーディオ情報に基づいて、前記選択されたマーカー挿入時点が有声領域に存在するかを判断し、前記選択されたマーカー挿入時点が前記有声領域に存在すると、前記受信されたオーディオ信号内の前記複数の無声領域の中で無声領域の時刻を決定し、前記決定された無声領域の時刻に対応するようにマーカーを設定する制御部とを含む。
この場合、前記制御部は、前記選択されたマーカー挿入時点を前記設定されたマーカーに対応するように変換することが望ましい。
【００２４】
一方、前記無声領域の時刻は、前記選択されたマーカー挿入時点の前に存在することが望ましい。
【００２５】
一方、前記無声領域の時刻は、前記複数の無声領域の中で前記選択されたマーカー挿入時点に近い時刻であることが望ましい。
【００２６】
一方、前記オーディオ情報は、デジタルフォーマットであることが望ましい。
【００２７】
一方、前記入力部は、前記選択された挿入時点に対する選択は、ユーザから受信することが望ましい。
【００２８】
一方、前記オーディオ情報の有声領域は、少なくとも一つのスポークン・ワード（ｓｐｏｋｅｎ  ｗｏｒｄ）を含むことが望ましい。
【００２９】
一方、前記制御部は、前記オーディオ情報の有声領域の分析に基づいて前記無声領域の時刻を決定することが望ましい。
【００３０】
この場合、前記オーディオ情報の有声領域は、少なくとも一つのスポークン・ワード（ｓｐｏｋｅｎ  ｗｏｒｄ）を含み、前記有声領域の分析は、前記少なくとも一つのスポークン・ワードの認識（ｒｅｃｏｇｎｉｔｉｏｎ）に基づくことが望ましい。
【００３１】
この場合、前記少なくとも一つのスポークン・ワードの認識は、前記オーディオ情報の有声領域と単語データベース内の少なくとも一つの単語を比較して行なわれることが望ましい。
【００３２】
一方、前記複数の無声領域の無声領域それぞれは、最小期間より長いことが望ましい。
【００３３】
一方、前記制御部は、ユーザの入力に基づいて前記無声領域の時刻を決定する動作を行なうことが望ましい。
【００３４】
この場合、本再生設定方法は、前記有声領域および前記無声領域のグラフィック表現を表示する表示スクリーンを表示する表示部を更に含み、前記制御部は、前記表示されたグラフィック表現上の前記無声領域の時刻を手動で選択することにより、前記無声領域の時刻を決定することが望ましい。
【００３５】
この場合、前記表示部は、前記表示スクリーン上に前記選択されたマーカー挿入時点に対応するマーカーを表示し、前記表示されたグラフィック表現上の無声領域の時刻の手動選択は、前記表示されたグラフィック表現内の表示されたマーカーを動かすことを含むことが望ましい。
【００３６】
一方、前記オーディオ情報は、複数のスポークン・ワードおよび複数のスポークン・ワードにおける少なくとも二単語の間の一時停止に対応する無声領域を含むことが望ましい。
【００３７】
一方、本実施形態に係る言語的（ｖｅｒｂａｌ）および非言語的（ｎｏｎ−ｖｅｒｂａｌ）コンテンツ（ｃｏｎｔｅｎｔ）のうち少なくとも一つを含む有声領域と無声領域を持つオーディオ情報にマーカーを設定する方法は、前記無声領域および前記有声領域を持つオーディオ情報を受信するステップ、前記有声領域に存在する第１時刻に対応するマーカー設定をユーザから選択されるステップと、前記有声領域の期間、前記有声領域に対する開始時刻、前記有声領域に対する終了時刻、前記無声領域に対する開始時刻、前記無声領域に対する終了時刻および「前記言語的および非言語的コンテンツのうち少なくとも一つ」のうち少なくとも一つを決定するために前記オーディオ情報を分析するステップと、有声領域の分析に基づいて前記無声領域に存在する第２時刻を決定するステップと、前記決定された第２時刻に基づいてマーカーを設定するステップとを含む。
【図面の簡単な説明】
【００３８】
【図１】有声領域および無声領域を持つオーディオ信号の例を示す図である。
【図２】本発明の一実施形態に係る動作の例を説明する図である。
【図３】本発明の一実施形態に係るオーディオ信号の例を説明する図である。
【図４Ａ】本発明の一実施形態に係るオーディオ信号の例を説明する図である。
【図４Ｂ】本発明の一実施形態に係る動作の例を説明する図である。
【図５】本発明の一実施形態に係るデジタル信号の例を示す図である。
【図６】本発明の一実施形態に係る装置の例を示す図である。
【図７】本発明の一実施形態に係る動作を説明する図である。
【発明を実施するための形態】
【００３９】
以下に添付図面を参照しながら、本発明の好適な実施の形態について詳細に説明する。
【００４０】
本明細書で、“再生スタート時点（ｒｅｐｌａｙ  ｓｔａｒｔｉｎｇ  ｐｏｉｎｔ）”という用語は、ユーザが所望するオーディオ情報再生のためのマーカーである時間内の時点だけでなく、一般的に別の目的で使用され得るユーザによって設定される場所マーカーをも含む。なお、所望するオーディオ情報の単なる再生を含む。例えば、単語や句の発生の総数を決定するために、ユーザは、分析されたオーディオ情報の全体を分析することにより、単語または句の全ての発生をマークすることができる。また、ユーザは、削除のための如何なる成分をマークすることもできる。その他に多くの方法も可能である。従って、“再生スタート時点”という用語は、再生オーディオ情報のアプリケーションに限定されない。なお、“マーカー（ｍａｒｋｅｒ）”という用語も、“再生スタート時点”という言葉に代わることができる。
【００４１】
図２は、図１に示された信号と類似したオーディオ信号の形態を持つオーディオ情報２００を示す。
【００４２】
図１と関連して上述したように、ユーザは第１無声領域２１０、有声領域２２０および第２無声領域２３０を挿入することを望んでよい。第１変換時点２１９は、第１無声領域２１０および無声領域２２０との間に存在する。第２変換時点２２９は、有声領域２２０と第２無声領域２３０の間に存在する。ユーザは有声領域２２０の開始前（例えば、２１１時点）に再生スタート時点を挿入することを望んでよい。上述したように、ユーザは所望する時点にボタンを押したり、マウスをクリックするなどの動作を行なうことができる。上述したように、ユーザは望む時間（例えば、無声領域２１０が終了する前）にマーカーを挿入するのに十分でない速さでボタンを押してしまい、有声領域２２０間の時間にボタンが押される場合がある。この場合、マーカーが時点２２１に挿入される。
【００４３】
ここで、“オーディオ信号（ａｕｄｉｏ  ｓｉｇｎａｌ）”という用語は、便宜のために選択された。ところが、本発明はオーディオ“信号”に限定するものでない。その代わりに、本発明は一般的なオーディオ情報、例えば、アナログ信号だけでなくデジタルデータに適用されてよい。従って、本明細書に記載された“オーディオ信号”という用語は、“オーディオ情報（Ａｕｄｉｏ  ｉｎｆｏｒｍａｔｉｏｎ）”代わることができる。
【００４４】
本発明の一実施形態では、上述のような故意でないミスを修正することができる。例えば、マーカーは、有声領域２２０内の時点２２１から無声領域２１０内の時点または第２無声領域２３０内の時点に移動することができる。マーカーは、第１変換時点２１９または第２変換時点２２９にも移動でき、無声領域内のどの時点（時点２１１または２３１）にも移動され得ることに注意すべきである。
【００４５】
言い換えると、無声領域の開始時刻および終了時刻が分かれば、無声領域の望む如何なる領域（例えば、始まり、中間または終わり）にもマーカーを移動させることができる。従って、無声領域が００：００ないし００：１０なら、マーカーは００：００および００：１０の内の何れかの時間に配置されてよい。
【００４６】
図２に示された実施形態を参照すると、元（ｏｒｉｇｉｎａｌ）のマーカーが有声領域２２０に誤って挿入されているか否かを判断するために、オーディオ情報は分析されることができる。そして、マーカーが誤って挿入されたものと判断されると、誤って配置されたマーカーが移動できる無声領域（例えば、２１０および２３０領域）を決定することができる。
【００４７】
例えば、有声領域２２０内にオーディオ信号の一領域（例えば、時間内に何れかの定められた時点）のレベルは、いくつかの最小閾値（例えば、０と同様か以上か）と比較されてよい。このような決定は、時間内の定められた時点におけるオーディオ信号が有声領域（ｎｏｎ−ｓｉｌｅｎｔ  ｐｏｒｔｉｏｎ）または無声領域（ｓｉｌｅｎｔ  ｐｏｒｔｉｏｎ）の部分かを分類できるようにする。信号の特定の部分は、無声（ｓｉｌｅｎｔ）または有声（ｎｏｎ−ｓｉｌｅｎｔ）に分類されてよく、有声領域の期間、無声領域の期間、無声／有声部分に対する開始／終了時刻、無声／有声領域の総数、無声／有声部分の平均長さなどのようなオーディオ信号全体の特徴情報で決定されてよい。
【００４８】
同様に、時間内の特定時点で定められたオーディオ信号の特定レベルは、時間内の次の時点が無声領域または有声領域の部分かを推定することを可能とする。更に、蓄積されたオーディオ情報を分析することにより、受信されたオーディオ信号内のパターンが検出されてよい。例えば、受信されたオーディオ情報には繰り返される句が含まれてよい。このように、定められたデータ時点が予測可能な期間（例えば、以前に得られたオーディオ情報内の定められた決定可能なパターン）の有声領域に配置されるかを認識することを可能とする。従って、有声領域内の一つの時間にユーザが再生マーカーを挿入した場合、決定されたパターンに従ってマーカーを適切な無声領域に自動的に動かすことのような修正を自動的に行なうことができる。
【００４９】
より具体的には、上述のように、有声領域は言語的（ｖｅｒｂａｌ）および非言語的（ｎｏｎ−ｖｅｒｂａｌ）情報を含むことができる。言語的情報は、スポークン・ワード（ｓｐｏｋｅｎ  ｗｏｒｄｓ）を含む。従って、オーディオ情報の有声部分は少なくとも一つのスポークン・ワードを含んでよい。無声領域は少なくとも二つの単語／音節／文章（例えば、複数のスポークン・ワード）の間の一時停止（ｐａｕｓｅ）に対応できる。また、上述のように、オーディオ信号の有声領域の分析に基づいて定められた無声領域の時間（例えば、オーディオ信号内の位置）を決定することができる。オーディオ情報の有声領域は、少なくとも一つのスポークン・ワードを含んでよい。有声領域の分析は、少なくとも一つのスポークン・ワードの認識に基づくものであってよい。例えば、少なくとも一つのスポークン・ワードの認識は、オーディオ情報の有声領域と単語データベース（ｗｏｒｄ  ｄａｔａｂａｓｅ）内の少なくとも一つの単語を比較することにより、行なわれてよい。このような方法は、始まり／終わりの時点を決定することで有声領域は分析されることができる。その結果、隣接する無声領域の始まり／終わりの領域の時点も決定されることができる。このような過程は、オーディオ情報に含まれた無声／有声領域の全ての位置を決定するために、可能なオーディオ情報の全てに対して繰り返し行なわれることができる。
【００５０】
しかし、パターン認識のこのような整列は、受信されたオーディオ信号内の無声／有声領域のパターンを決定するものに限定されない。その代わりに、ユーザは自分の再生マーカーの誤った挿入に対して、繰り返して手動修正を行なうことができる。これにより、ヒストリーのような行為のパターンが生成されてよい。このような行動により、ユーザの行動内のパターンを認識することが可能である。例えば、ユーザが誤って挿入した再生マーカーを有声領域から（以前の有声領域とは反対の）次の無声領域に繰り返し動かした場合や、一部の最小限の期間を持つ無声領域に動かした場合、例えば、好みのパターンのようなパターンは検出されることができ、後述の誤って挿入されたマーカーを自動的に修正するのに適用できる。
【００５１】
非言語的情報（例えば、音楽）と関しても、そのパターンを決定するために、オーディオ信号の特徴は分析されてよい。例えば、定められた音楽信号に対して、周波数（ｆｒｅｑｕｅｎｃｙ）、ボリューム（ｖｏｌｕｍｅ  ｌｅｖｅｒ）、テンポ（ｔｅｍｐｏ）などのような特徴が決定されてよく、それは無声／有声部分を識別するのに使われる。更に、信号特徴のこのような種類は、非言語的情報を持つパターンを検出するのに用いられてよく、受信された信号内に無声／有声領域の位置（例えば、誤って挿入されたマーカーの位置に対して）を予測するのに用いられてよい。
【００５２】
図３は、図１および図２の例より複雑に受信されたオーディオ信号３００の例を示した図である。
【００５３】
図３によると、オーディオ信号３００は３つの無声領域３１０、３３０、３５０および３つの有声領域３２０、３４０、３６０を含む。このような実施形態で、それぞれの無声および有声領域は別の周期および別の特徴（例えば、有声領域の事項）を持つ。この場合、オーディオ信号は、複数の無声／有声領域を含み、複数の無声／有声部分のそれぞれの無声／有声は、最小周期より長くてよい。
【００５４】
本発明の実施形態によると、マーカーが有声領域３１０、３３０、３５０、３７０の何れかの領域に誤って挿入されると、誤って配置されたマーカーの挿入が存在する無声領域とは関係なく、無声領域３２０、３４０、３６０のうち何れか一つに移動されてよい。
【００５５】
例えば、オーディオ信号は受信されてよく、受信されたオーディオ信号はメモリに保存されてよい。そして、ユーザが有声領域３６０内に再生マーカーを誤って挿入すると、本発明の一実施形態は、有声領域３６０内の誤った位置の存在を判断できる。そして、マーカーを無声領域３１０（または、別の可能な無声領域３３０、３５０、３７０）に移動できる。具体的に、全オーディオ信号３００は保存されることができ、それぞれの無声および有声領域３１０−３７０の位置および周期を決定するために分析されることができる。そして、ユーザによって、有声領域に誤ったマーカー挿入に対するイベントが生じると、マーカーは一部ユーザの好みに基づいて自動的に選択されたいくつかの無声領域（例えば、誤って挿入されたマーカーの位置する有声領域と時間的に隣接する無声領域、周期内で最も短いか／最も長い無声領域、特定の最小周期を持つ無声領域）に移動されてよい。オーディオ信号内の無声領域の時間は、有声領域の以前または以後に存在してよい。従って、マーカーは定められた有声領域の前または後ろに移動されてよい。
【００５６】
なお、本発明の実施形態には、誤って配置されたマーカーを移動する場所として好まれる無声領域の優先順位をユーザが設定することができる。例えば、図３を再び参照すると、ユーザはマーカーを時点３２１に挿入することができる。ユーザは誤って挿入されたマーカーを持つ有声領域と時間的に最も近い無声領域を、マーカーを移動させるための予め選択された好みの無声領域として持つことができる。この場合、好みの部分は、無声領域３３０に対応し、マーカーは時点３２１から時点３３２に移動することができる。
【００５７】
マーカーを後述のターゲット無声領域に移動することも望ましい。例えば、ユーザがマーカーを時点３２１に誤って挿入できる。すると、マーカーは次の無声領域（例えば、予め決定された優先設定、ユーザによって行なわれた手動（ｍａｎｕａｌ）の動作などを通じて）内の時点３３２に移動する。しかし、時点３３２と次の有声領域３４０の開始の間の無声領域の期間は、再生動作間にスムーズな切替を許容しないことがある。例えば、再生スタート時点を示す時点３３２にマーカーが挿入され、再生動作が開始されると、時点３３２と有声領域３４０の開始の間の短い周期のため、有声領域３４０の再生は唐突に発生し得る。
【００５８】
従って、（例えば、再生動作の間の）スムーズな切替のために無声領域３３０内の更に後の領域にマーカーを自動的に移動するようにすることが望ましい。例えば、図３に示されたように、修正されたマーカー挿入時点３３２は、無声領域３３０内の時点３３１に移動されることができる。このような自動動作は、ユーザの好みによって選択されることができる。
【００５９】
一方、本発明の別の実施形態によると、誤って配置された再生マーカーを動かす方法に対する選択の階層が用いられることができる。例えば、好みの無声領域は、Ｘ秒より長い何れかの無声領域で指定されてよい。そして、交互に生じる無声領域は、誤って挿入された有声領域と時間的に最も近く配置された無声領域に対応できる。ここで、Ｘ秒より長い無声領域がない場合、別の設定が適用できる。
【００６０】
上述のように、本発明の例は、多様なレベルを持つオーディオ信号であってよい。ここで、“レベル（ｌｅｖｅｌ）”という用語は、特定のパラメータ（ｐａｒａｍｅｔｅｒ）に限定されるものではない。更に、“レベル（ｌｅｖｅｌ）”という用語は、ボリュームレベル（ｖｏｌｕｍｅ  ｌｅｖｅｌ）、バス周波数レベル（ｂａｓｓ  ｆｒｅｑｕｅｎｃｙ  ｌｅｖｅｌ）、高音周波数レベル（ｔｒｅｂｌｅ  ｆｒｅｑｕｅｎｃｙ  ｌｅｖｅｌ）、雑音レベル（ｎｏｉｓｅ  ｌａｖｅｌ）などを含む。例えば、図４Ａに示されたような受信されたオーディオ信号４００は、別のボリュームレベルを持つ複数の有声領域４１０、４２０、４３０および４４０を持つ。特に、有声領域４２０、４４０と比較したとき、有声領域４１０、４３０内のオーディオ信号は相対的に低いレベルを持つ。
【００６１】
図４Ｂは、有声領域４３０、４４０を詳細に示した図である。図４Ｂを参考にすると、有声領域４３０は有声領域４００と比較して相対的に低いボリュームレベルを持つ。上述したように、有声領域（例えば、時間内に何れかの定められた時点に対して）内のオーディオ信号の何れかの部分は一部の最小閾値（例えば、０より大きいか０と同様）と比較されてよい。これにより、時間内の定められた時点でオーディオ信号が有声領域または無声領域に分離されるかを決定されることができる。例えば、最小閾値が図４Ｂに示されたようなレベル４５０を持つ場合、ユーザはマーカーを時点４３１に挿入できる。そして、時点４３１は無声領域に判断されることができる。従って、時点４３１でオーディオ信号は最小閾値レベル４５０より大きくない。逆に、時点４３９はオーディオ信号が最小閾値４５０を超えるものとして考慮された時点であり、時点４３９は有声領域の部分である。従って、信号が有声領域にあるか、無線領域にあるかは信号のサイズで判断することができる。より詳細には、ユーザは手動で最小閾値レベルまたは予め決定されたレベルを明示することができる。
【００６２】
上述のように、受信されたオーディオ情報は、アナログ形態を持つ必要はない。その代わりに、受信されたオーディオ情報はデジタル形態であってよい。
【００６３】
図５は、デジタル形態を持つオーディオ情報の例としてデジタル信号５００を示す。
【００６４】
図５を参考にすると、いくつかの有声領域は５１０でまとめて表示される。このように、いくつかの無声領域は５２０でまとめて表示される。例えば、有声領域の間に時点５４０にマーカーを挿入しようとする意図で、時点５３０でマーカーを挿入する誤った選択をすることがある。しかし、本発明の一実施形態は、有声領域の時点５３０に誤って挿入されたマーカーを認識することができる。そして、マーカーは無声領域の時点５４０に移動されることができる。
【００６５】
アナログ信号と関連して言及したように、領域が有声領域であるか、デジタル信号内の有声領域であるかを決定することが可能である。例えば、潜在的な（ｐｏｔｅｎｔｉａｌ）有声領域は、信号が０でない値を持つかを判断することで分析されてよい。このような潜在的な無声領域は、信号がゼロ値（または、いくつかの最小値以下の値）であるかを判断することで分析されてよい。図５に示されたようなデジタル信号５００はほぼ特定の方式内のモジュール化されたデジタル信号の一つのタイプを持つ。しかし、本発明は、これに限定されない。別の種類のデジタル信号、例えば、別の類型も可能である。
【００６６】
図６は、本発明の実施形態に係る装置を示す。図６によると、マーカー挿入装置６００は、オーディオ信号を受信する受信部６１０、ユーザから入力を受信する入力部６２０、受信されたオーディオ信号、マーカー設定、ユーザの好みなどを保存するメモリ６３０、受信されたオーディオ信号および信号表示のためのユーザインターフェースを表示する表示部６４０、受信部６１０、入力部６２０、メモリ６３０および表示部６４０を制御する制御部６５０を含む。
【００６７】
図６によると、全ての構成がマーカー挿入装置６００上に実現される例について示したが、本願はこれに限定されない。その代わりに、別の実施形態として、システムの構成が分散された形態としても実現できる。
【００６８】
表示部６４０は、オーディオ情報、誤って挿入されたマーカーを含むマーカーだけでなく、移されるマーカーをグラフィック形態で表示できる。それで、ユーザは表示部６４０を用いてオーディオ情報およびマーカー（例えば、誤って挿入されたマーカー選択、所望の無声領域へマーカー移動）を表示して調整することができる。それだけでなく、別の好み（ターゲット無声領域に対する好みの順序設定、選択動作を手動／自動で行なうかに対する設定）に対しても調整することができる。
【００６９】
図７は、本発明の一実施形態に係る動作７００の一例を示す。
【００７０】
図７によると、入力信号が受信される（Ｓ７０１）。上述のように、入力信号はオーディオ信号であり、アナログまたはデジタル形態を持ってよい。後で参照されるように、受信された信号は保存されてよい（Ｓ７２０）。
【００７１】
図７と関連して上述の受信された信号を保存する動作（Ｓ７２０）で、受信された信号は必ず全体が全て保存されなければならないわけではない。本発明の実施形態で、入力受信号を受信し、最小限の情報（例えば、挿入マーカーに対する位置情報）保存し、その受信として受信された入力信号を分析することも可能である。
【００７２】
続いて、ユーザがマーカーを挿入したかを判断することができる（Ｓ７３０）。もし、そうであれば、マーカーの挿入が有声領域における挿入であるかを判断することができる（Ｓ７４０）。上述のように、有声領域の存在の決定は、多様な方式で行なわれてよい。マーカーが有声領域に挿入され、受信されたオーディオ信号に全ての無声領域の位置を決定することができる（Ｓ７０５）。逆に、一つの無声領域の位置に対する決定が行なわれてよい。無声領域の位置は受信されたオーディオ信号と有声領域の位置の決定によって決定されることができる。
【００７３】
その次、好みの無声領域（例えば、時間的近さ、短い周期など）が存在するかが決定される。そうでなければ、ターゲット（ｔａｒｇｅｔ）の無声領域が選択される（Ｓ７０７）。最後に、誤って挿入されたマーカーがターゲット／好む無声領域に移動される（Ｓ７０８）。
【００７４】
上述のいくつかの動作は、省略される形態で実現でき、図７に示された順番が結合されたり、別の順番としても実現できる。そして、上述したような一部動作は、ユーザの手動操作により行なわれることができる。例えば、マーカーが動かされる有声領域およびマーカーが動かされる位置を選択できる。逆に、上述したような動作は自動的に行なわれることもできる。
【００７５】
本発明は、磁気保存媒体（例えば、ロム（ＲＯＭ）、フロッピー（登録商標）ディスク、ハードディスク）、光学記録媒体（ＣＤ−ＲＯＭ、ＤＶＤなど）のような保存媒体を含む「コンピュータ使用可能な媒体」からプログラムが駆動される一般的なデジタルコンピュータ装置で実現できる。しかし、上述した保存媒体に限定されない。従って、本発明は、コンピュータ記録媒体でも実現可能である。
【００７６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2012032817.tif 000003
【図２】
2012032817.tif 000004
【図３】
2012032817.tif 000005
【図４Ａ】
2012032817.tif 000006
【図４Ｂ】
2012032817.tif 000007
【図５】
2012032817.tif 000008
【図６】
2012032817.tif 000009
【図７】
2012032817.tif 000010